(57)【要約】      （修正有）【課題】夏期などに涼感が得られるようシャツの肩部分を成すヨークを一枚の生地により形成しながらも、その保形性の低下を抑えて肩部分における美しいシルエットを保つシャツを提供する。【解決手段】肩部分を成すヨーク２を一枚の生地により形成したシャツ１であって、ヨークが後身頃４に対し巻き伏せ本縫いで縫着され且つその縫着部分に挟み込まれて一緒に縫い付けられた熱接着テープ５が生地に対し熱溶着されていると共に、ヨークが前身頃に対し巻き伏せ本縫いで縫着され且つその縫着部分に挟み込まれて一緒に縫い付けられた熱接着テープが生地に対し熱溶着されている。【選択図】図１
0003231507.tif 000002
【実用新案登録請求の範囲】
【請求項１】
肩部分を成すヨークを一枚の生地により形成したシャツであって、前記ヨークが後身頃に対し巻き伏せ本縫いで縫着され且つその縫着部分に挟み込まれて一緒に縫い付けられた熱接着テープが生地に対し熱溶着されていると共に、前記ヨークが前身頃に対し巻き伏せ本縫いで縫着され且つその縫着部分に挟み込まれて一緒に縫い付けられた熱接着テープが生地に対し熱溶着されていることを特徴とするシャツ。
【考案の詳細な説明】
【技術分野】
【０００１】
本考案は、シャツに関するものである。
【背景技術】
【０００２】
図１２に示す如きワイシャツやカジュアルシャツなどといったシャツ１においては、外気温度の高い夏期などに外出していると、肩部分から衿にかけての比較的厚手の部分に熱が籠って不快な暑さを感じることがある。
【０００３】
即ち、シャツ１の肩部分を成すヨーク２や衿３の部分は、シャツ１の立体感を醸し出すための保形性を有するように二枚の生地を重ね合わせて仕立てられるようになっているので、この二重部分における通気性が損なわれて熱が籠り易くなってしまう。
【０００４】
以上に述べた如き従来からの伝統的なシャツ１の構造様式は、長年に亘り踏襲され続けてきたものであり、近年においては、半袖シャツや開襟シャツなどといった根本的なデザイン変更により涼感を得られるようにしたシャツも既に存在しているが、このようなデザイン変更によるものは、シャツのスタンダードなデザインを好む購買層には受け入れられていないのが実情であり、特にビジネス用のワイシャツとしては得意先などを訪問するのにあたり先方に不適切な印象を与えかねない。
【０００５】
そこで、肩部分を成すヨーク２を一枚の生地により形成し、シャツ１のスタンダードなデザインを生かしつつ肩部分の通気性を向上して夏期などに涼感が得られるようにすることが提案されており、例えば、下記の特許文献１などが先行技術文献情報として既に存在している。
【０００６】
尚、図１２中における符号４はヨーク２の背面側に縫い付けられた後身頃を示し、この図１２中においては図示されていないが、前記ヨーク２の正面側には前身頃が縫い付けられるようになっている。
【先行技術文献】
【特許文献】
【０００７】
【特許文献１】実用新案登録第３０７７４８６号公報
【考案の概要】
【考案が解決しようとする課題】
【０００８】
しかしながら、ヨーク２を一枚の生地で形成した場合には、二枚の生地を重ね合わせて仕立てた場合と比較して保形性の低下を招いてしまうことが避けられず、シャツ１の肩部分における美しいシルエットを形づくることが難しくなるという問題があった。
【０００９】
本考案は、上述の実情に鑑みてなしたもので、夏期などに涼感が得られるようシャツの肩部分を成すヨークを一枚の生地により形成しながらも、その保形性の低下を抑えて肩部分における美しいシルエットを保ち得るようにすることを目的としている。
【課題を解決するための手段】
【００１０】
本考案は、肩部分を成すヨークを一枚の生地により形成したシャツであって、前記ヨークが後身頃に対し巻き伏せ本縫いで縫着され且つその縫着部分に挟み込まれて一緒に縫い付けられた熱接着テープが生地に対し熱溶着されていると共に、前記ヨークが前身頃に対し巻き伏せ本縫いで縫着され且つその縫着部分に挟み込まれて一緒に縫い付けられた熱接着テープが生地に対し熱溶着されていることを特徴とするものである。
【００１１】
而して、このようにすれば、ヨークと後身頃との縫着部分に挟み込まれて一緒に縫い付けられた熱接着テープが生地に対し熱溶着された状態となっていることで芯地のように作用し、これにより一枚の生地により形成したヨークの背面側の保形性が補われて肩部分における美しいシルエットが形づくられることになる。
【００１２】
尚、ヨークが後身頃に対し巻き伏せ本縫いで縫着されていると、ヨークと後身頃の双方の縫い端が互いに巻き込まれて縫い付けられることになるため、シャツの内側に縫い端が残らなくなって着心地が良くなると共に、シャツを折り畳んだ際にネックホールから見えるヨークと後身頃との縫着部分における見栄えも良くなる。
【００１３】
更に、本考案においては、ヨークが前身頃に対し巻き伏せ本縫いで縫着され且つその縫着部分に挟み込まれて一緒に縫い付けられた熱接着テープが生地に対し熱溶着されているので、ヨークと前身頃との縫着部分に挟み込まれて一緒に縫い付けられた熱接着テープが生地に対し熱溶着された状態となって芯地のように作用し、これにより一枚の生地により形成したヨークの正面側の保形性も補われて肩部分におけるシルエットがより一層美しく形づくられることになる。
【００１４】
尚、ヨークが前身頃に対し巻き伏せ本縫いで縫着されていると、ヨークと前身頃の双方の縫い端が互いに巻き込まれて縫い付けられることになるため、シャツの内側に縫い端が残らなくなって着心地が良くなる。
【考案の効果】
【００１５】
上記した本考案のシャツによれば、夏期などに涼感が得られるようシャツの肩部分を成すヨークを一枚の生地により形成しながらも、その保形性の低下を抑えて肩部分における美しいシルエットを形づくることができ、しかも、着心地や折り畳み時の見栄えの良いシャツとすることができるという優れた効果を奏し得る。
【図面の簡単な説明】
【００１６】
【図１】本考案を実施する形態の一例を示す背面図である。
【図２】図１のヨークと後身頃との縫着部分を拡大して示す断面図である。
【図３】図２の形態例での第一工程を示す断面図である。
【図４】図２の形態例での第二工程を示す断面図である。
【図５】図２の形態例での第三工程を示す断面図である。
【図６】本形態例のヨークと前身頃との縫着部分に関する正面図である。
【図７】図６のヨークと前身頃との縫着部分を拡大して示す断面図である。
【図８】本考案の別の形態例を示す断面図である。
【図９】図８の形態例での第一工程を示す断面図である。
【図１０】図８の形態例での第二工程を示す断面図である。
【図１１】図８の形態例での第三工程を示す断面図である。
【図１２】従来のシャツの一例を示す背面図である。
【考案を実施するための形態】
【００１７】
以下、本考案の実施の形態を図面を参照しつつ説明する。
【００１８】
図１〜図７は本考案を実施する形態の一例を示すもので、図１２と同一の符号を付した部分は同一物を表わしている。
【００１９】
図１に示すように、本形態例においては、シャツ１の肩部分を成すヨーク２が一枚の生地により形成されており、しかも、前記ヨーク２が後身頃４に対し巻き伏せ本縫いで縫着され且つその縫着部分に挟み込まれて一緒に縫い付けられた熱接着テープ５が生地に対し熱溶着されているところが特徴となっている。
【００２０】
より具体的には、図２に拡大して示す如く、ヨーク２の背面側の下端がシャツ１の内側（図２中の右側）に折り返されて縫い代２ａを成し且つ後身頃４の上端がシャツ１の外側（図２中の左側）に折り返されて縫い代４ａを成しており、これら縫い代２ａ，４ａ同士が互いを巻き込みながら縫い付けられているが、この際に、後身頃４の縫い代４ａの表面とヨーク２の裏面との間に熱接着テープ５が挟み込まれて一緒に縫い付けられ、アイロン６（図５参照）によるプレスで前記熱接着テープ５が生地に対し熱溶着されるようにしてある。
【００２１】
尚、このような巻き伏せ本縫いによる具体的な仕立ての手順は、図３に示す如き後身頃４にヨーク２を重ね合わせた上で該ヨーク２の縫い代２ａを巻き込むように後身頃４側の縫い代４ａを折り返し且つその折り返した縫い代４ａに更に熱接着テープ５を重ねて一緒に地縫いする第一工程と、図４に示す如きヨーク２全体を折り返して熱接着テープ５ごと縫着部分を貫通ステッチで縫い付ける第二工程と、図５に示す如きアイロン６により熱を加えながらプレスする第三工程とを順次行うというものであり、全て機械化された流れ作業により実施することが可能である。
【００２２】
また、特に本形態例においては、図６に示す如く、ヨーク２が前身頃７に対しても巻き伏せ本縫いで縫着され且つその縫着部分に挟み込まれて一緒に縫い付けられた熱接着テープ５が生地に対し熱溶着されるようになっているところも特徴となっており、図７に拡大して示す如く、ヨーク２の正面側の下端がシャツ１の内側（図２中の右側）に折り返されて縫い代２ｂを成し且つ前身頃７の上端がシャツ１の外側（図２中の左側）に折り返されて縫い代７ａを成し、これら縫い代２ｂ，７ａ同士が互いを巻き込みながら縫い付けられているが、この際に、前身頃７の縫い代７ａの表面とヨーク２の裏面との間に熱接着テープ５が挟み込まれて一緒に縫い付けられ、アイロン６（図５参照）によるプレスで前記熱接着テープ５が生地に対し熱溶着されるようにしてある（具体的な仕立ての手順については、前述した図３〜図５の工程と特に変わるところがないため説明を割愛する）。
【００２３】
而して、このようにシャツ１を縫製すれば、ヨーク２と後身頃４との縫着部分に挟み込まれて一緒に縫い付けられた熱接着テープ５が生地に対し熱溶着された状態となっていることで芯地のように作用し、これにより一枚の生地により形成したヨーク２の背面側の保形性が補われて肩部分における美しいシルエットが形づくられるが、特に本形態例の場合には、ヨーク２と前身頃７との縫着部分においても、該縫着部分に挟み込まれて一緒に縫い付けられた熱接着テープ５が生地に対し熱溶着された状態となっていることで芯地のように作用し、これにより一枚の生地により形成したヨーク２の正面側の保形性も補われて肩部分におけるシルエットがより一層美しく形づくられることになる。
【００２４】
また、ヨーク２が後身頃４に対し巻き伏せ本縫いで縫着されていると、ヨーク２と後身頃４の双方の縫い端が互いに巻き込まれて縫い付けられることになるため、シャツ１の内側に縫い端が残らなくなって着心地が良くなると共に、シャツ１を折り畳んだ際にネックホールから見えるヨーク２と後身頃４との縫着部分における見栄えも良くなる。
【００２５】
尚、本形態例では、ヨーク２が前身頃７に対しても巻き伏せ本縫いで縫着されているので、ヨーク２と前身頃７の双方の縫い端が互いに巻き込まれて縫い付けられ、シャツ１の内側に縫い端が残らなくなって着心地が更に良くなる。
【００２６】
従って、上記形態例によれば、夏期などに涼感が得られるようシャツ１の肩部分を成すヨーク２を一枚の生地により形成しながらも、その保形性の低下を抑えて肩部分における美しいシルエットを形づくることができ、しかも、着心地や折り畳み時の見栄えの良いシャツ１とすることができる。
【００２７】
また、図８は本考案の参考例を示すもので、先の図１〜図７で説明した形態例におけるヨーク２と前身頃７との縫着部分に関し、巻き伏せ本縫いの代わりにインターロック縫いで縫着され且つその縫着部分に挟み込まれて一緒に縫い付けられた熱接着テープ５が生地に対し熱溶着されるようにしたものであり、より具体的には、ヨーク２の正面側の下端がシャツ１の内側に折り返されて縫い代２ｂを成し且つ該縫い代２ｂと前身頃７の上端の縫い代７ａとがインターロック縫いにより地縫いと裁ち目かがりとを同時に施されているが、この際に、両縫い代２ｂ，７ａの表面とヨーク２の裏面との間に熱接着テープ５が挟み込まれて一緒に縫い付けられ、アイロン６（図１１参照）によるプレスで前記熱接着テープ５が生地に対し熱溶着されるようにしてある。
【００２８】
このようなインターロック縫いによる具体的な仕立ての手順は、図９に示す如き前身頃７にヨーク２を重ね合わせ且つこれらの裁断予定位置に熱接着テープ５を更に重ねた上で前身頃７とヨーク２とを裁断しながら地縫いと裁ち目かがりと熱接着テープ５のしつけを同時に行う第一工程と、図１０に示す如きヨーク２全体を折り返して前記熱接着テープ５ごと縫着部分を貫通ステッチでたたき縫いする第二工程と、図１１に示す如きアイロン６により熱を加えながらプレスする第三工程とを順次行うというものであり、全て機械化された流れ作業により実施することが可能である。
【００２９】
而して、このようにした場合にも、ヨーク２と前身頃７との縫着部分に挟み込まれて一緒に縫い付けられた熱接着テープ５が生地に対し熱溶着された状態となっていることで芯地のように作用し、これにより一枚の生地により形成したヨーク２の正面側の保形性も補われて肩部分におけるシルエットがより一層美しく形づくられることになる。
【００３０】
尚、ヨーク２が前身頃７に対しインターロック縫いで縫着されていると、シャツ１の内側に縫い端が残って着心地や見栄えの面で巻き伏せ本縫いより劣ることは否めないが、ヨーク２と前身頃７との縫着部分の内側はシャツ１の折り畳み時に隠れて外から見えないことから見栄えの面での大きな支障はなく、寧ろインターロックミシンにより縫い合わせと生地の裁断とを同時に実施できて大幅な低コスト化を実現することができる。
【００３１】
尚、本考案のシャツは、上述の形態例にのみ限定されるものではなく、本考案の要旨を逸脱しない範囲内において種々変更を加え得ることは勿論である。
【符号の説明】
【００３２】
１      シャツ
２      ヨーク
４      後身頃
５      熱接着テープ
７      前身頃
【図１】
0003231507.tif 000003
【図２】
0003231507.tif 000004
【図３】
0003231507.tif 000005
【図４】
0003231507.tif 000006
【図５】
0003231507.tif 000007
【図６】
0003231507.tif 000008
【図７】
0003231507.tif 000009
【図８】
0003231507.tif 000010
【図９】
0003231507.tif 000011
【図１０】
0003231507.tif 000012
【図１１】
0003231507.tif 000013
【図１２】
0003231507.tif 000014